(57)【要約】【解決課題】電子薬歴管理システムにおいて、迅速な対応が求められる緊急情報に関連する薬剤の提供時に薬剤師等の利用者が確実に認識できるようにして、利用者の労力を軽減させながら安全かつ有効な薬剤使用を実現する。【解決手段】個人情報記憶部２２ｃ、薬剤情報記憶部２２ｂ、制御装置２１等を備えた利用者端末２０と、インターネット回線１００と、利用者端末２０の薬剤情報を追加・更新させる管理センタ３とからなり、処方箋ごとに入力した処方情報をチェックしてその結果を表示する電子薬歴管理システムにおいて、追加・更新される薬剤情報のうち処方内容に関連して迅速に対応すべき緊急情報を、定期的な薬剤情報の追加・更新とは別に管理センタ３が逐次追加・更新するとともに、処方情報に関連する緊急情報が存在する場合に、制御装置２１が所定の方法で検索して緊急情報が存在する旨をディスプレイ２３に表示するようにする。【選択図】        図２
2004280327.tif 000002
【特許請求の範囲】
【請求項１】
患者ごとの薬歴を含む個人情報を記憶する個人情報記憶部、所定の薬剤情報を記憶する薬剤情報記憶部、所定の処理を実行する制御装置、入力手段、表示手段、を備えた利用者端末と、所定の通信手段と、前記利用者端末における薬剤情報について所定の時期に前記所定の通信手段を用いて追加・更新させる所定の管理装置を有する管理センタとからなり、利用者が患者から受け付けた処方箋ごとに前記入力手段により処方情報を入力するとともに、前記制御装置が前記入力された処方情報と前記個人情報記憶部に記憶された個人情報および前記薬剤情報記憶部に記憶された薬剤情報とを検索・照合することにより処方箋ごとに処方内容をチェックして、当該チェック結果を前記表示手段に表示する電子薬歴管理システムにおいて、
前記追加・更新される薬剤情報のうち処方内容に関連して利用者が迅速に対応すべき所定の緊急情報が、定期的な前記薬剤情報の追加・更新とは別に逐次前記管理センタにより追加・更新されるとともに、前記処方箋ごとに入力された処方情報に関連する前記所定の緊急情報が存在する場合に、前記制御装置が所定の方法で検索して当該所定の緊急情報が存在する旨を前記表示手段に表示することを特徴とする電子薬歴管理システム。
【請求項２】
前記表示手段が前記所定の緊急情報が存在する旨を表示した場合に、前記所定の緊急情報の内容を前記表示手段に表示させて、前記所定の緊急情報の内容を確認できるものとされている、請求項１に記載した電子薬歴管理システム。
【請求項３】
前記所定の検索方法は、前記処方情報中に含まれている語句と前記所定の緊急情報中に含まれている所定のキーワードとの間のキーワード検索である、請求項１または２に記載した電子薬歴管理システム。
【請求項４】
前記所定の通信手段はインターネット回線であり、前記管理センタの所定の管理装置はサーバであって、前記管理センタからインターネット回線経由で前記利用者端末に電子情報を伝送するものであるとされている、請求項１，２または３記載の電子薬歴管理システム。
【請求項５】
前記所定の緊急情報が存在する旨の表示は、前記所定の緊急情報の内容を前記利用者が確認するまで前記表示手段において表示されるものとされている、請求項１，２，３または４記載に記載した電子薬歴管理システム。
【請求項６】
前記所定の緊急情報が存在する旨の表示は、前記表示手段に表示される記載において、通常の表示と異なる色彩で表示されて識別可能とされた、請求項１，２，３，４または５記載に記載した電子薬歴管理システム。
【請求項７】
請求項１，２，３，４，５，６に記載した電子薬歴管理システムにおける前記利用者端末の所定の記憶手段に格納され、当該電子薬歴管理システムにおける前記各処理を前記利用者端末においてそれぞれ実行させる、電子薬歴管理プログラムまたは当該電子薬歴管理プログラムを記録した記録媒体。
【発明の詳細な説明】
【０００１】
【発明の属する技術分野】
本発明は、病院や診療所等の医療機関を受診した患者に医師が処方箋を発行し、これに基づいて調剤薬局等で薬剤を調剤・提供する際における、各患者の薬歴や既往症等を参照して安全かつ有効な薬剤の使用を実現するための電子薬歴管理システムに関し、殊に、調剤薬局における薬剤師等のシステムの利用者が処方ごとに関連する緊急情報を、迅速かつ確実に把握できるような電子薬歴管理システムに関する。
【０００２】
【従来の技術】
従来、病院や診療所で受診した患者は医師により薬剤を処方され、発行された処方箋に基づいて調剤薬局等で当該薬剤が与えられる。その際、患者特有の体質等との関係における薬剤投与の危険性や薬剤相互作用、さらには長期投与等、薬剤使用の安全性・有効性を確保するために、各調剤薬局において調剤の都度チェックできることが好ましい。しかし、患者が来局した調剤薬局において患者ごとに既往歴や服薬歴を入手・記録するとともに、これと処方箋内容とを対比しながらチェックを実施して薬剤の提供・服薬指導を行うことは相当な手間を要し、容易ではなかった。
【０００３】
そこで、近年においては、特開２０００−１６３４９８号公報や本願出願人による特開２００１―２７３３６６号公報に提示されているように、所定の管理プログラムを備え、患者ごとに薬歴や既往歴等を含む個人情報を記憶するとともに服用指導情報等を含む薬剤情報を記憶した利用者装置（ＰＣ等）を用いて、患者ごとに薬歴管理を行うとともに、各処方内容とこれらの情報とを対比・照合して、調剤時において問題のある処方内容をチェックしたり服薬指導を支援したりする、電子薬歴管理システムが広く採用されている。
【０００４】
斯かる電子薬歴管理システムは、処方情報と個人情報および薬剤情報とを手作業で対比・照合する薬剤師の手間を省くとともに、手作業において生じやすいチェック漏れを防止して調剤および服薬指導における省力化と患者の安全を確保できる点で優れている。
しかし、医薬品に関しては、緊急安全性情報や販売停止情報、或いは異物混入情報等、重要かつ迅速な対応を要するいわゆる緊急情報の入手が特に重要となるが、このようなスタンドアロン方式の電子薬歴管理システムにおいては、迅速な情報の入手が困難であり即座に対応することが容易ではない。
【０００５】
一方、上述のようなスタンドアロン方式の電子薬歴管理システムに代えて、本願出願人による特開２００１―３２５３６０号公報や特開２００２―１９７１８４号公報において提示されているように、データセンタに保存された個人情報や薬剤情報に各調剤薬局からアクセスして、データセンタにおける管理ソフトを利用して処方データごとに対比・照合させる、ネットワーク方式の電子薬歴管理システムが提示されている。
【０００６】
斯かる電子薬歴管理システムは、各調剤薬局等の利用者端末において主たるシステムソフトを導入する必要がないとともに、最新情報の更新やバージョンアップも定期的に実施されるため、最新情報の迅速かつ確実な入手が比較的容易である。
【０００７】
一方、このように所定時期において更新・追加される情報のうち、患者の安全を確保するため迅速な対応が求められる、いわゆる緊急情報は、各調剤薬局で扱う総ての関連する薬剤について薬剤師が把握していることが求められる。しかし、調剤薬局において扱う薬剤は多品目多種類に及び、これらに関連して提供される情報は多数かつ多種多様であるため、予め漏れなく認識しておくことは極めて困難であり、処方箋に基づいて調剤・服薬指導を実施する薬剤師の負担は極めて大きなものとなっているのが実状である。
【０００８】
【発明が解決しようとする課題】
本発明は、上記のような問題点を解決しようとするものであり、電子薬歴管理システムにおいて提供される新規情報のうち、特に迅速な対応が求められる緊急情報について、少なくともこれに関連する薬剤の調剤時または提供時に薬剤師等の利用者が確実に認識できるようにして、利用者の労力を軽減させながらさらに安全かつ有効な薬剤の使用を実現することを課題とするものである。
【０００９】
【課題を解決するための手段】
そこで、本発明は、患者ごとの薬歴を含む個人情報を記憶する個人情報記憶部、所定の薬剤情報を記憶する薬剤情報記憶部、所定の処理を実行する制御装置、入力手段、表示手段、を備えた利用者端末と、所定の通信手段と、前記利用者端末における薬剤情報について所定の時期に前記所定の通信手段を用いて追加・更新させるサーバを有する管理センタとからなり、利用者が患者から受け付けた処方箋ごとに前記入力手段により処方情報を入力するとともに、前記制御装置が前記入力された処方情報と前記個人情報記憶部に記憶された個人情報および前記薬剤情報記憶部に記憶された薬剤情報とを検索・照合することにより処方箋ごとに処方内容をチェックして、当該チェック結果を前記表示手段に表示する電子薬歴管理システムにおいて、前記追加・更新される薬剤情報のうち処方内容に関連して利用者が迅速に対応すべき所定の緊急情報が、定期的な前記薬剤情報の追加・更新とは別に逐次前記管理センタにより追加・更新されるとともに、前記処方箋ごとに入力された処方情報に関連する前記所定の緊急情報が存在する場合に、前記制御装置が所定の方法で検索して当該所定の緊急情報が存在する旨を前記表示手段に表示することを特徴とする電子薬歴管理システムとした。
【００１０】
これにより、電子薬歴管理システムにおいて多種多様に提供される最新情報のうち、処方された患者の個人情報および処方内容との関連において、調剤または服薬指導を行う薬剤師等の利用者が迅速に対応すべき内容を含む緊急情報について、逐次管理センタにより追加・更新されて対応の遅れを防止するとともに、処方情報から自動チェックされ、当該チェック結果が自動的に表示されるため、少なくとも調剤時において利用者がその情報の存在を確実に認識できるようになる。また、これにより、薬剤師等の手作業によるチェック作業の労力を軽減することができるとともに、チェック漏れを防いで、安全かつ有効な薬剤の使用を実現することができる。
【００１１】
さらに、前述した解決手段の電子薬歴管理システムにおいて、前記表示手段が前記所定の緊急情報が存在する旨を表示した場合に、前記所定の緊急情報の内容を前記表示手段に表示させて、前記所定の緊急情報の内容を確認できるようにすれば、薬剤師等の利用者が認識すべき前記所定の緊急情報の内容を速やかに確認することができるため、医師等への疑義照会や患者への服薬指導等においてその情報内容を速やかに反映することができる。
【００１２】
さらにまた、前述した解決手段の電子薬歴管理システムにおいて、前記所定の検索方法を前記処方情報中に含まれている語句と前記所定の緊急情報中に含まれている所定のキーワードとの間のキーワード検索とすれば、前記処方情報中にキーワードとなる薬品名や成分名が含まれている場合に、容易かつ迅速に検索できるとともに、検索手段の設定も比較的容易である。
【００１３】
加えて、前述した解決手段の電子薬歴管理システムにおいて、前記所定の通信手段をインターネット回線とし、前記管理センタの管理装置をサーバとして、前記管理センタからインターネット回線経由で前記利用者端末に電子情報を伝送するものとすれば、迅速な対応が求められる内容を含む前記所定の緊急情報を迅速かつ確実に追加・更新することができる。
【００１４】
さらに加えて、前述した解決手段の電子薬歴管理システムにおいて、前記所定の緊急情報が存在する旨の表示を、前記所定の緊急情報の内容を前記利用者が確認するまで前記表示手段において表示されるものとすれば、前記所定の緊急情報の内容を薬剤師等のシステム利用者が確実に認識することができ、前記所定の緊急情報が存在する旨の表示を、前記表示手段に表示される記載において通常の表示と異なる色彩で表示して識別可能とすれば、当該表示の見落としを防止することができる。
【００１５】
そして、前述した解決手段の前記利用者端末の所定の記憶手段に格納され、当該電子薬歴管理システムにおける前記各処理を前記利用者端末においてそれぞれ実行させる、電子薬歴管理プログラムまたは当該電子薬歴管理プログラムを記録した記録媒体として利用できるようにすれば、当該電子薬歴管理システムを様々な利用者のもとで広く実施させることが容易となる。
【００１６】
【発明の実施の形態】
次に、本発明の実施の形態について、図面を用いながら以下に詳細に説明する。尚、本実施の形態において、利用者は調剤薬局２であり、通信手段はインターネット回線１００、表示手段はディスプレイ２３、入力手段はキーボード２４である。
【００１７】
図１は、本発明における実施の形態の電子薬歴管理システム１を示す概略図であり、調剤薬局２に設置された利用者端末２０は、プロバイダ４およびインターネット回線１００を経由して、管理センタ３に配置された管理サーバ３０に接続されている。そして、管理センタ３は、後述する薬剤情報に関し追加・更新するものについて、定期的（例えば毎週月曜日）にサーバ３０からインターネット回線１００経由で電子情報化した情報（通常情報）を調剤薬局２に配置した利用者端末２０に伝送し、薬剤情報を追加・更新する。
【００１８】
さらに、管理センタ２は、例えば副作用発生を原因とする緊急安全性情報等の重要かつ迅速な対応が必要な情報、いわゆる緊急情報を入手した場合、前述の定期的な情報の追加・更新である通常情報では充分に対応できない場合があるため、これとは別に電子情報化した緊急情報を利用者端末２０に、その都度伝送するようになっている。
【００１９】
図２は、図１における当該電子薬歴管理システム１の利用者である、調剤薬局２に配置された利用者端末２０のハードウエア構成の略図である。利用者端末２０は、表示手段であるディスプレイ２３、入力手段であるキーボード２４を備えた汎用パーソナルコンピュータであって、インターネット回線１００が接続されているとともに、プリンタ２５も接続されている。
【００２０】
利用者端末２０における端末本体２０Ａは、制御ユニット、入力ユニット、出力ユニット、通信ユニット、表示ユニット等を有する制御装置２１と記憶装置（ＨＤＤ）２２を備えている。記憶装置２２は領域で分けられて、電子薬歴管理システム１における利用者端末２０用の電子薬歴管理プログラム１Ａを格納したプログラム記憶部２２ａと、これに付属する当該調剤薬局２で取扱のある薬剤の情報を記憶した薬剤情報記憶部２２ｂおよび個々の患者ごとの情報を記憶した個人情報記憶部２２ｃが設けられている。尚、これらの記憶部はそれぞれ別体の記憶装置（外付けＨＤＤ等）に記憶させても良いことはいうまでもない。
【００２１】
プログラム記憶部２２ａに記憶される電子薬歴管理プログラム１Ａは、本実施の形態である電子薬歴管理システム１に加入の際、セットアップ用ＣＤ―ＲＯＭに記録された状態で、利用者に渡されて、利用者端末２０に付帯の読み取り装置で読み取ることにより、記憶される。尚、電子薬歴管理プログラム１Ａは、所定の時期に管理センタ３からインターネット回線１００経由で自動更新される。
【００２２】
薬剤情報記憶部２２ｂに記憶される薬剤情報は、従来技術とほぼ同様で取扱薬品総てについての医薬品添付文書記載内容の、薬品名・成分・規格・薬価・適応症・用法・用量・副作用事項や禁忌等を含む使用上の注意・使用期限等の基本情報のほか、保険適用上の制限や患者に対する服薬指導情報および薬剤の剤型写真等の付加情報も記憶されている。また、これらの薬品に含まれる総ての成分名がコード化されてマスタ登録されるとともに、その成分を含む総ての薬品名が関連づけられている。これにより、成分名で検索して同一成分を含む総ての薬品名が把握できるようになっている。これらの情報は薬剤情報記憶部２２ｂの一般情報記憶領域において保管され、管理センタ３から電子情報の形で定期的に伝信されて追加・更新される。一方、緊急安全性情報や薬剤販売停止情報等、重要かつ迅速に対応すべき所定の緊急情報については、前述の一般情報記憶領域に記憶されるのに加えて、当該緊急情報に関連する薬品名または成分名が前記緊急情報に関連づけられた状態で、薬剤情報記憶部２２ｂ内において一般情報記憶領域とは別の領域である緊急情報記憶領域に記憶される点で、従来技術と異なる。
【００２３】
個人情報記憶部２２ｃに記憶される個人情報としては従来技術と同様であり、患者ＩＤに関連づけられて、患者氏名・住所・過去の副作用情報・特有体質・薬歴等であり、患者が最初に来局した時にアンケート用紙等で入手するとともに、処方ごとに薬歴を追加するものである。
【００２４】
利用者端末２０は、上述のような構成であり、管理センタ３からの伝送や利用者が所定の入力を行うことで、電子薬歴管理プログラム１Ａに基づき制御装置２１が種々の処理を実行する。即ち、キーボード２４で入力することにより患者の基本情報や処方情報を個人情報記憶部２２ｃに記憶させるとともに、インターネット回線１００経由で自動的に薬剤情報記憶部２２ｂの薬剤情報を追加・更新させる。また、これらの個人情報・薬剤情報はディスプレイ２３に表示させることもできる。
【００２５】
例えば、最初の患者登録の際にＩＤを付与するが、次回から当該ＩＤを入力すると、ディスプレイ２３には薬歴入力画面が表示される。そして、薬歴入力画面を用いて処方情報を入力することで、これが薬歴として追加されるとともに、入力された薬品名や成分名と個人情報および薬剤情報とを制御装置２１が自動的に検索・対比して、当該患者特有の注意すべき副作用や薬剤相互作用等における問題点・注意点があれば、これを表示し、関連する服薬指導情報があればこれも表示され、これらをプリンタ２５でプリントアウトさせることもできる。
【００２６】
さらに、入力された処方情報中の薬品または成分が緊急情報記憶領域に保存された薬品名または成分名にヒットすれば、薬歴入力画面に入力した薬品のうち関連する薬品名を、例えば赤色の太字で表示するとともに、画面中に「緊急情報画面を表示する」と記載されたアイコン４０を表示する。これを見たシステム利用者である薬剤師は、当該処方に関連する緊急情報が存在することを認識させられるとともに、アイコン４０をクリックするだけで当該緊急情報の記載内容を同一画面上に表示させて、その内容を確認できるようになっている（図５参照）。尚、この赤色の太字による表示およびアイコン４０は、当該緊急情報の記載内容を確認後に閉じると、表示されないようになっている。
【００２７】
次に、本実施の形態である電子薬歴管理システム１の動作について、図３および図４のフローチャートを用いながら説明する。尚、図中の細線枠内の動作は人間の動作であり、太線枠内の動作は利用者端末２０やサーバ３０等の動作を表している。
【００２８】
図３は、処方内容に緊急情報に関連する薬剤や成分が存在するが、処方変更の必要がない場合の一例を示す、本実施の形態の電子薬歴管理システム１のフローチャートである。
管理センタ３は、インターネット回線１００を経由して定期的に薬剤情報について情報（通常情報）の伝送を行っており（Ｄ１）、利用者端末２０における薬剤情報記憶部２２ｂの一般情報記憶領域において追加・更新させる（Ｃ１）。そして、今回、副作用発生による緊急安全性情報の迅速な伝達の必要性が生じたため、これを緊急情報として定期の伝送とは別に伝送し（Ｄ２）、薬剤情報記憶部２２ｂの一般情報記憶領域において追加・更新させるのに加えて、緊急情報記憶領域に副作用発生の原因となった成分名等の情報を記憶させる（Ｃ２）。尚、当該緊急情報記憶領域における登録は所定の期間経過後、薬剤師の判断により保管または消去されるものとする。
【００２９】
一方、患者は病院に来院して診察を受け（Ａ１）、医師から治療薬の処方箋を発行される（Ｂ１）。処方箋を発行された患者は調剤薬局２に来局し、当該処方箋を提示する（Ａ２）。尚、この患者は前回の来局で所定のアンケート用紙を記載・提出して個人情報が登録済みであるとする。
【００３０】
処方箋を受け付けた薬剤師は、この患者のＩＤを入力して当該患者の薬歴入力画面を表示させ、処方情報を入力する（Ｃ３）。すると、電子薬歴管理プログラム１Ａに基づいて作動する利用者端末２０の制御装置２１が、当該処方情報の薬品名および成分名と個人情報および薬剤情報とをキーワード検索を行って照合し（Ｃ４）、一般情報記憶領域の関連する薬剤情報が薬歴入力画面に表示される。一方、この検索において緊急情報記憶領域の情報にもヒットしているため（Ｃ５）、当該表示画面において通常の表示とは異なる色彩、例えば、関連する薬品名が赤色の太字で識別可能に表示されるとともに、その記載内容を表示させるアイコン４０も表示され（Ｃ６）、緊急情報記の存在を認識させる。尚、入力画面における表示に加えて、特定の音が出るようにすれば、さらに確実に緊急情報記の存在を薬剤師に認識させることができる。
【００３１】
そこで、利用者端末２０を操作する薬剤師がアイコン４０をクリックすると（Ｃ７）、薬歴入力画面に当該緊急情報の内容である緊急安全性情報が表示される（Ｃ８）。そこで、この緊急安全性情報の内容を読むことにより、薬剤師はこの緊急情報の内容を把握することができるが、このまま処方箋通りに薬剤を付与することに問題があると判断した場合、この処方箋を発行した医師に疑義照会行う（Ｃ９）。医師が、処方された薬剤中に緊急安全性情報に関連するものが含まれても患者に注意を促すのみで足りるため処方を変更する必要はない、と回答すると（Ｂ２）、薬剤師は当該注意を含めた服薬指導を行って、患者に薬剤の提供を行う（Ｃ１０）。
【００３２】
さらに、電子薬歴管理システム１の動作について処方内容に緊急情報に関連する薬剤や成分が存在するとともに処方変更の必要が生じた場合を、図４のフローチャートを用いながら説明する。
【００３３】
処方箋を発行した医師への疑義照会（Ｃ９）までは前述と同様であるが、この処方内容のままでは、緊急安全性情報に記載の内容との関係で患者に副作用の発生の恐れがあると、疑義照会を受けた医師が判断した場合に、医師は当該関連する薬剤を含まない処方内容に変更する（Ｂ３）。これにより、薬剤師が処方情報の修正を行うと（Ｃ１１）、管理装置２１は自動的に再度検索・照合作業を実施する（Ｃ１２）が、緊急情報にヒットする薬剤・成分がないため前述したような緊急情報の存在を表す表示はなく（Ｃ１４）、薬剤師はこの内容で調剤をして薬剤を提供する。尚、修正後の処方内容に関連した特別な服薬指導情報がない場合、患者に一般的な薬剤の説明のみで薬剤を提供して終了する。
【００３４】
以上述べたように、いわゆる緊急情報の伝達および患者への対応の必要性が生じた場合、管理センタにより、迅速かつ確実に各調剤薬局等の利用者端末における薬剤情報が追加・更新され、当該追加・更新された緊急情報の存在を少なくとも関連する薬剤の処方時において薬剤師に確実に認識させることができる。さらに、同一画面上のアイコンをクリックすることにより、速やかに当該緊急情報の内容を確認することができるため、迅速かつ確実な対応を行うことができる。
【００３５】
尚、本発明を実施するための最良の形態は以上の説明で十分に示したが、本発明はこれらに限定されるものではなく、その要旨を逸脱しない範囲で変更できることはいうまでもない。例えば、利用者は院外の調剤薬局に限らず院内薬局でもよく、さらに、通信手段は、インターネット回線を用いた電子情報の伝送に限らず、ＣＤ−ＲＯＭやＤＶＤ―ＲＯＭ等の記録媒体に情報を記録したものを適宜送付して、利用者端末の読み込み装置でその都度読み込むようにしても実施することができる。さらにまた、薬剤情報記憶部の緊急情報記憶領域に緊急情報に関連する薬品名または成分名を登録するのに加えて、緊急情報の内容を一般情報記憶領域ではなく当該緊急情報記憶領域に登録するようにして、利用者が不要になった緊急情報を適宜削除するようにしてもよい。
【００３６】
【発明の効果】
以上述べたように、本発明である電子薬歴管理システムにより、電子薬歴管理システムにおいて提供される新規情報のうち、特に迅速な対応が求められる緊急情報について、少なくともこれに関連する薬剤の調剤時または提供時に薬剤師等の利用者が確実に認識できるようになった。また、これにより、利用者の労力を軽減させながらさらに安全かつ有効な薬剤の使用を実現することができた。
【図面の簡単な説明】
【図１】本発明の実施の形態の電子薬歴管理システムの概略図。
【図２】図１の利用者端末のハードウエア構成図。
【図３】本発明の実施の形態のフローチャート。
【図４】本発明の実施の形態のフローチャート。
【図５】図２の利用者端末に格納された電子薬歴管理プログラムによりディスプレイに表示される表示画面の一例を示す説明図。
【符号の説明】
１  電子薬歴管理システム、１Ａ  電子薬歴管理プログラム、２  調剤薬局、３  管理センタ、４  プロバイダ、２０  利用者端末、２０Ａ  端末本体、２１制御装置、２２  記憶装置、２２ａ  プログラム記憶部、２２ｂ  薬剤情報記憶部、２２ｃ  個人情報記憶部、２３  ディスプレイ、２４  キーボード、２５
プリンタ、３０  サーバ、４０  アイコン、１００  インターネット回線
【図１】
2004280327.tif 000003
【図２】
2004280327.tif 000004
【図３】
2004280327.tif 000005
【図４】
2004280327.tif 000006
【図５】
2004280327.tif 000007